(57)【特許請求の範囲】
【請求項１】
地下に埋設された貯留槽に雨水等を貯留及び／又は該貯留槽を介して雨水等を土中に浸透させる雨水貯留浸透施設において、
前記貯留槽が、第１貯留部と、この第１貯留部よりも重い材質で形成された第２貯留部とから構成され、
前記第２貯留部の上面に第１貯留部が配置されるとともに、少なくとも第１貯留部と第２貯留部の境界部分がシートで被覆され、これら第１貯留部と第２貯留部が一体とされたことを特徴とする雨水貯留浸透施設。
【請求項２】
前記第１貯留部が樹脂製部材で形成され、第２貯留部がコンクリート製部材で形成されたことを特徴とする請求項１記載の雨水貯留浸透施設。
【請求項３】
前記少なくとも第１貯留部と第２貯留部の境界部分を被覆するシートが透水シートであることを特徴とする請求項１または２記載の雨水貯留浸透施設。
【請求項４】
前記少なくとも第１貯留部と第２貯留部の境界部分を被覆するシートが遮水シートであることを特徴とする請求項１または２記載の雨水貯留浸透施設。
【発明の詳細な説明】
【技術分野】
【０００１】
本発明は、地下に埋設された貯留槽に雨水等を貯留及び／又は該貯留槽を介して雨水等を土中に浸透させる雨水貯留浸透施設に関する。
【背景技術】
【０００２】
従来から、地下に雨水等を貯留及び／又は浸透させる施設であって、下部層と上部層の上下２層からなる貯留槽を備え、施設全体が地中に埋設された雨水貯留浸透施設が知られている（例えば、特許文献１参照。）。
【０００３】
上記特許文献１に記載された雨水貯留浸透施設は、地盤を掘削して得られた設置穴の底面に配設される第１貯留浸透槽と、この第１貯留浸透槽の上段に配設される第２貯留浸透槽とからなる貯留槽を備えたものである。そして、第１貯留浸透槽は、プラスチック部材で形成された第１貯留浸透ユニット群で構成され、第２貯留浸透槽は、合成樹脂製のブロック状積層体から構成されるブロック状積層体群で構成されており、機械的強度を確保するとともに、コストを削減することを目的としている。
【特許文献１】特許第３４１００９０号公報
【発明の開示】
【発明が解決しようとする課題】
【０００４】
しかしながら、上記特許文献１に記載された雨水貯留浸透施設では、貯留浸透槽が軽量の樹脂製部材で形成されているため、地下水位が高い場合に、地下水の浮力によって貯留槽の浮き上がりが生じるおそれがあり、また、地震により液状化現象が発生した場合にも貯留槽の浮き上がりが生じる危険性がある。
【０００５】
本発明は、このような事情に鑑み創案されたもので、地下水の浮力や液状化現象による貯留槽の浮き上がりを防止可能な雨水貯留浸透施設を提供することを目的とする。
【課題を解決するための手段】
【０００６】
上記の目的を達成するため本発明は、地下に埋設された貯留槽に雨水等を貯留及び／又は該貯留槽を介して雨水等を土中に浸透させる雨水貯留浸透施設において、前記貯留槽が、第１貯留部と、この第１貯留部よりも重い材質で形成された第２貯留部とから構成され、前記第２貯留部の上面に第１貯留部が配置されるとともに、少なくとも第１貯留部と第２貯留部の境界部分がシートで被覆され、これら第１貯留部と第２貯留部が一体とされたことを特徴とする。
【０００７】
この発明によれば、下部に配置された第２貯留部が、上部に配置された第１貯留部よりも重い材質で形成され、第１貯留部と第２貯留部が一体とされているので、第２貯留部の自重により、貯留槽全体の浮き上がりを防止することができる。ここで、重い材質とは水の密度よりも重い材質であればよく、例えば、コンクリート、鉄筋コンクリート、モルタルや金属（ステンレル、アルミ、鉄、鋳物）、砕石、ガラス繊維と樹脂の複合材等が使える。密度は、約１０〜約１００ｋＮ／ｍ3が好ましく、ガラス繊維と樹脂の複合材は１０ｋＮ／ｍ3程度、鋼、鋳鉄等は７０〜８０ｋＮ／ｍ3程度である。またコンクリート、鉄筋コンクリート、モルタル、砕石は密度が約２０〜約２５ｋＮ／ｍ3であり密度と施工性を加味するとさらに好ましい。
【０００８】
本発明は、上記した雨水貯留浸透施設において、前記第１貯留部が樹脂製部材で形成され、第２貯留部がコンクリート製部材で形成されたことを特徴とする。
【０００９】
この発明によれば、第１貯留部が樹脂製素材で形成されているので、施工性を向上させることができる。
【００１０】
また、通常、樹脂製の貯留槽において貯留槽の周囲にシートを設けていることから、このようなシートを第１貯留部に設けている場合、該シートを、第１貯留部と第２貯留部の境界部分を被覆するシートとして利用することができる。したがって、貯留槽の構造を簡単にすることができ、工期を短縮しコストを低減することができる。
【００１１】
さらに、第２貯留部がコンクリート製部材で形成されているので、第２貯留部が相当の重量を有するため、第２貯留部の自重による貯留槽の浮き上がり防止効果を確保することができる。
【００１２】
本発明は、上記した雨水貯留浸透施設において、前記少なくとも第１貯留部と第２貯留部の境界部分を被覆するシートが透水シートであることを特徴とする。
【００１３】
この発明によれば、少なくとも第１貯留部と第２貯留部の境界部分が透水シートで被覆されているので、例えば液状化現象が起こった場合に、透水シートにより水を浸透させて貯留槽内に取り込むことにより、この取り込まれた水の重量が加わるので、貯留槽の浮き上がり防止効果をさらに向上させることができる。
【００１４】
ここで、透水シートは、例えば、樹脂製（ポリエステル、ポリスチレン、ポリ乳酸、オレフィン系、塩化ビニル系など）の不織布のほか、無機物（ガラス、炭素繊維など）の不織布を使用することができる。また、不織布に限らず、例えばシート状物に孔を穿孔したものなど、シート状物を貫通する開口を有するものであれば、使用することができる。
【００１５】
本発明は、上記した雨水貯留浸透施設において、前記少なくとも第１貯留部と第２貯留部の境界部分を被覆するシートが遮水シートであることを特徴とする。
【００１６】
この発明によれば、浸透に不適な場所においても、貯留により雨水の流出を抑制する効果が得られる。また、第１貯留部と第２貯留部との間に、地下水や液状化した土砂が侵入するのを阻止することができ、境界面において、第１貯留部に浮力が生じても第２貯留部により、第１貯留部の浮上を防止することができる。
【００１７】
ここで、遮水シートは、一般的な土木シートを使用することができる。例えば、加硫ゴム系、非加硫ゴム系、塩化ビニル樹脂系、オレフィン樹脂系など、種々のものが使用できる。また、土木シートに限らず、地下に埋設可能な程度に強度を有する遮水性のシート状のものであれば、使用することができる。
【００１８】
なお、本発明において、貯留槽・貯留部における用語「貯留」には、貯留及び／又は浸透機能を有することを含むものとする。
【発明の効果】
【００１９】
本発明によれば、地下に埋設された貯留槽に雨水等を貯留及び／又は該貯留槽を介して雨水等を土中に浸透させる雨水貯留浸透施設において、地下水の浮力や液状化現象による貯留槽の浮き上がりを防止することが可能になる。
【発明を実施するための最良の形態】
【００２０】
＜第１実施形態＞
以下、本発明の一実施形態について、図面を参照して説明する。
【００２１】
図１には、本発明の第１実施形態に係る雨水貯留浸透施設の概略構成が示されている。
【００２２】
この雨水貯留浸透施設は、大雨が降ったときに雨水を一時的に貯留し、河川流量が急激に増大するのを防止する流出抑制効果を有するものである。そして、貯留された雨水等を植木への散水や洗車用水、非常時の生活用水や防火用水として利用することもできるものであり、図１に示すように、第１貯留部１Ａと第２貯留部１Ｂが上下２層となるように配置された貯留槽１を備えたものである。
【００２３】
貯留槽１は、地面を平面形状が矩形状に掘下げて造成された掘削部内に設けられ、この掘削部の底面は割栗石等を敷き詰めて突き固めて形成された基礎部とされている。掘削部の底面は、基本的には平坦面となっており、この底面に第２貯留部１Ｂが配置され、第２貯留部１Ｂの上面に第１貯留部１Ａが配置されている。
【００２４】
貯留槽１の上部には、周辺に降った雨水等を集める側溝等から雨水等を導く導水管（図示省略）や貯留槽１が満水になった場合に雨水を放流させるためのオーバーフロー管（図示省略）が接続されており、貯留槽１の下部には、貯留槽１に貯められた雨水を徐々に流出させるオリフィス管（図示省略）が設けられている。
【００２５】
第１貯留部１Ａには、雨水等を重力及び／又は雨水流により所望の方向に誘導する誘導手段を備えた多数の充填部材３が水平に並べられるとともに、上下に重ねられて設置されている。
【００２６】
充填部材３は、例えば図２に示すように、ポリエチレン、ポリプロピレン、塩化ビニル、ポリエチレンテレフタレート等のプラスチックや、これらの廃プラスチック等から形成され、第１貯留部１Ａの空間を確保する４本の柱状の連結部３１と、４本の連結部３１に固定され水平面に対して５度程度の角度で傾斜する傾斜板部３２とから構成されている。
【００２７】
このように充填部材３がプラスチックで形成されているので、第１貯留部１Ａは軽量で施工性がよい。
【００２８】
なお、充填部材３は、連結部３１の上部に連結部材３１０を挟んで積み上げるようにしてもよい。
【００２９】
そして、充填部材３は、例えば、傾斜板部３２により誘導された雨水が、水流を生じさせて、徐々に傾斜板部３２の隙間から落下するように配置されている。このように充填部材３が配置されていることから、土砂等の夾雑物を含む雨水は、集積部１０の方向に誘導されて落下し、夾雑物が集積部１０に自然に集められる。
【００３０】
第２貯留部１Ｂは、例えば図３に示すように、プレキャストコンクリート製の梁部材４１、柱部材４２、壁部材４３、頂版部材４４、底版部材４５、柱台部材４６を複数個組み合わせて貯留空間を形成するように配置したコンクリートブロック槽４で構成されている。
【００３１】
このように第２貯留部１Ｂがコンクリートブロックで形成されているので、相当の重量を有し、この自重により貯留槽１の浮き上がり防止効果を有するとともに、深埋設にも対応可能である。
【００３２】
また、第２貯留部１Ｂには、メンテナンスのための管理人孔（図示省略）が設けられている。
【００３３】
さらに、上記した第１貯留部１Ａの集積部１０に対応する第２貯留部１Ｂの上面には、凹部１００が設けられており、第１貯留部１Ａの充填部材３により誘導された雨水は凹部１００の方向に導かれ、夾雑物が凹部１００に集められる。そして、第１貯留部１Ａと第２貯留部１Ｂが連通するように、凹部１００に開口部（図示省略）が設けられている。
【００３４】
したがって、開口部を介して、第１貯留部１Ａから第２貯留部１Ｂに雨水が流入するとともに、集積部１０に集められた雨水中の夾雑物は貯留部１Ｂの特定箇所に排出され、夾雑物を雨水貯留浸透施設外に排出する作業が簡単で、維持管理が容易になる。また、第１貯留部１Ａから開口部を介して第２貯留部１Ｂに流入された雨水は、貯留部１Ｂに貯留される。
【００３５】
なお、第２貯留部１Ｂを構成するのは、上記したコンクリートブロック槽に限定されるものではなく、例えばボックスカルバートを複数個並設したもので構成してもよい。この場合、施工が簡単で工期をさらに短縮することが可能になる。
【００３６】
以上説明したように構成された第１貯留部１Ａ及び第２貯留部１Ｂからなる貯留槽１の側面及び底面は、透水シート２で被覆され、第１貯留部１Ａと第２貯留部１Ｂが一体とされている。したがって、第２貯留部１Ｂの自重によって、第１貯留部１Ａの浮き上がりが防止される。また、第１貯留部１Ａの側面が透水シート２で被覆されていることから、例えば液状化現象が起こった場合に、透水シート２により水を浸透させて貯留槽１内に取り込むことにより、この取り込まれた水の重量が加わるので、貯留槽１の浮き上がり防止効果をさらに向上させることができる。
【００３７】
なお、上記透水シート２に代えて遮水シートで被覆してもよい。この場合、第１貯留部１Ａと第２貯留部１Ｂの境界部分が遮水シートで被覆されていることから、第１貯留部１Ａと第２貯留部１Ｂとの間に、地下水や液状化した土砂が侵入するのを阻止することができる。また、第１貯留部１Ａの内部空間に雨水を貯留することもできる。ここで、遮水シートは、一般的な土木シートを使用することができる。例えば、加硫ゴム系、非加硫ゴム系、塩化ビニル樹脂系、オレフィン樹脂系など、種々のものが使用できる。また、土木シートに限らず、地下に埋設可能な程度に強度を有する遮水性のシート状のものであれば、使用することができる。
＜第２実施形態＞
次に、本発明の他の実施形態について、図面を参照して説明する。
【００３８】
この雨水貯留浸透施設は、図４に示すように、上記実施形態の雨水貯留浸透施設において、第１貯留部１Ａの上端縁から第２貯留部１Ｂの第１貯留部１Ａとの境界部分近傍までの側面を透水シート２で被覆した点に特徴を有している。
【００３９】
なお、基本的な構成は上記の雨水貯留浸透施設と同様であるので、同一構成のものについては、同じ符号を付し、詳細な説明を省略する。
【００４０】
本実施形態では、透水シート２の下端部２１が、接着剤によって第２貯留部１Ｂの側面と接合されている。
【００４１】
このように透水シート２の下端部２１と第２貯留部１Ｂの側面とが接合されているので、第１貯留部１Ａと第２貯留部１Ｂが一体とされている。したがって、第２貯留部１Ｂの自重によって、第１貯留部１Ａの浮き上がりが防止される。また、第１貯留部１Ａの側面が透水シート２で被覆されていることから、例えば液状化現象が起こった場合に、透水シートにより水を浸透させて貯留槽１内に取り込むことにより、この取り込まれた水の重量が加わるので、貯留槽１の浮き上がり防止効果をさらに向上させることができる。
【００４２】
なお、上記透水シート２に代えて遮水シートで被覆してもよい。この場合、第１貯留部１Ａと第２貯留部１Ｂの境界部分が遮水シートで被覆されていることから、第１貯留部１Ａと第２貯留部１Ｂとの間に、地下水や液状化した土砂が侵入するのを阻止することができる。また、第１貯留部１Ａの内部空間に雨水を貯留することもできる。
【００４３】
以上、本発明の実施の形態について、一例としての実施例について説明したが、上述した実施例に限られるものではない。
【産業上の利用可能性】
【００４４】
本発明は、地下に埋設された貯留槽に雨水等を貯留及び／又は該貯留槽を介して雨水等を土中に浸透させる雨水貯留浸透施設において、地下水の浮力や液状化現象による貯留槽の浮き上がりを防止することが可能な雨水貯留浸透施設に適用できる。
【図面の簡単な説明】
【００４５】
【図１】本発明に係る雨水貯留浸透施設の一実施形態の断面を模式的に示す概略図である。
【図２】本発明に係る雨水貯留浸透施設の第１貯留部を構成する充填部材の一例を示す斜視図である。
【図３】本発明に係る雨水貯留浸透施設の第２貯留部を構成するコンクリート部材の一例を示す側面図である。
【図４】本発明に係る雨水貯留浸透施設の他の実施形態の断面を模式的に示す概略図である。
【符号の説明】
【００４６】
１    貯留槽
１Ａ  第１貯留部
１Ｂ  第２貯留部
２    透水シート
【図１】
0004612588.tif 000002
【図２】
0004612588.tif 000003
【図３】
0004612588.tif 000004
【図４】
0004612588.tif 000005